(57)【要約】【課題】１個の開口部しか有さないペール缶や一斗缶に液面計が追加工なしで設置でき、尚且つ、原液の吸出しも可能で残量も少ない原液用液面計を提供する。【解決手段】上記課題を達成するために、液面計２のフロート２aの外径より若干大きい内径の円筒管３を該液面計２と同心軸上に配置し、円筒管３の内径側と液面計２のフロート２aの外径側の間には所定のスキマが保持されるように中心保持部材１２でセンターリングする構成とする。  容器内の原液が充分ある場合にはフロート２aは自身に作用する浮力により、ストッパー２dの位置まで上がり、リードスイッチ２cはOFFとなる。一方、容器内の原液が少くなり液面９が下がり、円筒管下部の切り欠３bから空気が入ると、フロート２aは浮力が小さくなり、自重でストッパー２fまで下がり、リードスイッチ２cがONとなる。【選択図】図１
0003214614.tif 000002
【実用新案登録請求の範囲】
【請求項１】
原液の液面を検出するフロート式液面計において、フロート２aの外径より若干大きい内径の円筒管３が該液面計２と同心軸上に中心保持部材１２で保持され、そして、該円筒管３は下端部には切り欠３bを有し、上端部に略直角方向に接合された吸引口３a有し、上端部２１で液面計２が密閉的に固定されていることを特徴とする原液用液面計。
【請求項２】
請求項１の原液用液面計をペール缶もしくは一斗缶等の容器に具備した希釈装置もしくはポンプ装置。
【考案の詳細な説明】
【技術分野】
【０００１】
本考案は、希釈装置等の原液容器に入った油や薬品等の原液をポンプ或いはエジェクター効果により吸い上げる際に原液が無くなったことを感知して警告を発するかもしくは停止信号を出す液面計に関するものである。
【背景技術】
【０００２】
現在、実際に使われている希釈装置としては、原液である切削油と水を所定の濃度で混合するクーラント希釈液装置がある。この希釈装置では原液が無くなり、水だけが供給されとクーラント液が薄まるため原液がなくなったことを感知して、装置を直ちに停止する必要がある。
そのために原液側容器に液面計を設置する必要がある。しかしながら、原液容器には液面計を設置する開口部と原液を吸いだす開口部の少なくとも２個の開口部が必要とされる。このように２個の開口部を有する原液容器はポリタンクやドラム缶に限られる。
従って、１個の開口部しか有さないペール缶や一斗缶等の一般的な油缶ではクーラント希釈装置を装着するためには、別途開口部を追加工する必要があった。
このような希釈装置以外でも、ポンプ等で原液容器から薬品、肥料、希釈液等の原液を吸い上げる場合でも原液が無くなったことを警告する必要がある場合に２個の開口部を有する容器に限定されることがある。
【０００３】
特に、切削油と水を混合するクーラント希釈装置では、一般的に流通している１個の開口部しか有さないペール缶や一斗缶を原液容器として使用することが多い。しかも、これらの容器は中味の状態がポリタンクの様に透けて見えないため原液が無いことの確認がしずらい。
また、ペール缶や一斗缶等は希釈装置やポンプ装置で原液を汲みあげた後の缶内の残液が少ない方が良い。しかしながら、一般的なフロート式液面計では、フロートの構造上２０〜２５ｍｍ高さの液量が残るという問題がある。
【先行技術文献】
【特許文献】
【０００４】
【特許文献１】特開２００３−２４０３５０
【特許文献２】特開平１１−１６７８５０
【特許文献３】実用新案登録３２１１８４９
【考案の概要】
【考案が解決しようとする課題】
【０００５】
１個の開口部しか有さないペール缶や一斗缶に液面計が追加工なしで設置でき、尚且つ、原液の吸出しも可能で残量も少ない原液用液面計を提供する。
【課題を解決するための手段】
【０００６】
上記課題を達成するために、液面計２のフロート２aの外径より若干大きい内径の円筒管３を該液面計２と同心軸上に配置し、円筒管３の内径側と液面計２のフロート２aの外径側の間には所定のスキマが保持されるように中心保持部材１２でセンターリングする構成とする。
容器内の原液が充分ある場合にはフロート２aは自身に作用する浮力により、ストッパー２dの位置まで上がり、リードスイッチ２cはOFFとなる。一方、容器内の原液が少くなり液面９まで下がり、円筒管下部の切り欠３bから空気が入ると、フロート２aは浮力が小さくなり、自重でストッパー２fまで下がり、リードスイッチ２cがONとなる。
また、円筒管３は容器４の開口部５に僅かなスキマで差し込まれ、そして、直角に接合された吸引口３aを有し、上端部２１で液面計２が密閉的に固定される構成とする。
【考案の効果】
【０００７】
フロート２aと円筒管３のスキマが存在することで、原液が充分で吸い込んでいる間は、フロート２には負圧が作用し、フロート２aを確実に上に持ち上げ、ストッパー２d位置に確実に定着せしめる。そして、原液１１が無くなり、液面９が下がり９’に至ると、円筒管３の下部に形成された切り欠３bから空気が入る。結果、前記負圧が極小さくなり、フロート２は浮力が低下し自身の自重で下がり、ストッパー２f位置に確実に定着することで缶内の残液量を最小限に抑えることが可能となる。
ちなみに、従来の開放されたフロート式液面計では、液面９’（２０〜２５ｍｍ液面高さでフロートがストッパーに至る）で効果は明白である。
また、簡単な中心保持部材１２により、フロート２と円筒管３がセンターリングされており、不本意な接触によるリードスイッチの誤作動がない。
【図面の簡単な説明】
【０００８】
【図１】図１は本考案の原液用液面計の構造を示し、その動作を説明したものである。
【図２】図２は本考案の原液用液面計を用いた希釈装置の実施例を示したものである。。
【図３】図３は本考案の原液用液面計を用いた他の実施例を示したものである。
【考案を実施するための形態】
【０００９】
原液容器として開口部を１個しか有さないペール缶や一斗缶にも適用できる原液用液面計を具備したクーラント液の自動希釈装置やポンプ吸い上げ装置を提供する。
【実施例１】
【００１０】
図１は本考案の液面計を示し、その動作を説明したものである。液面計２のフロート２aの外径より若干大きい内径の円筒管３を該液面計２と同心軸上に配置し、円筒管３の内径側と液面計２のフロート２aの外径側の間には所定のスキマが保持されるように中心保持部材１２でセンターリングする構成とする。該液面計２はフロート２a、軸２b、リードスイッチ２c,ストッパー２dおよび２f、磁石２eで構成されており、上端２１で前記円筒管３と密閉的に固定されている。
また、前記円筒管３は上端部に直角に接合された吸引口３aと下端部に切り欠部３bを有している。そして、ペール缶もしくは一斗缶４の開口部５に僅かなスキマで差し込まれている。
【００１１】
図２は該原液用液面計１を用いた自動希釈装置の実施例を示したものである。濃度設定器１８を有する希釈装置１７の入り口には電磁弁１６が配置され、水供給１９の開閉を制御盤２０の指令で行う。該希釈装置１７の出口は長いホース１４で混合液タンク１３に適時、濃度設定器１８で設定された濃度で生成された混合液を供給する構成となっている。液面計１０は液面が所定値以下になるとONの信号を出し、液面が所定値以上になるとONの信号を出し、混合液の補給と切断を繰返す役目を果たす。一方、該希釈装置１７は電磁弁１５を介して適時、原液11を本考案の液面計１から吸い上げた原液を希釈装置内１７で水と所定の濃度で混合せしめる構成となっている。原液側１１に配置された本考案の原液用液面計１は、液面高さが９に至るとONの信号を発するものである。つまり、原液がなくなった場合に全ての電磁弁を閉じて、混合液の生成を中断する役目を果たす。
【００１２】
図３は本考案の原液用液面計１を用いた他のポンプ装置の実施例を示したものである。ポンプ６により原液用液面計１の円筒管３の上端の吸い込み口３aから原液を吸い込み、そして、原液が無くなった場合にリードスイッチ２cが動作し、制御ボックス７の警告装置を鳴らすとかポンプ６を停止し、空運転によるポンプの焼き付きを防止する構成となっている。
【産業上の利用可能性】
【００１３】
原液用液面計の用途としてはクーラント液、消毒液、食料品などの自動希釈装置およびポンプ装置に利用可能である。
【符号の説明】
【００１４】
１  原液用液面計 
２  液面計       
３  円筒管       
４  ペール缶もしくは一斗缶
５  開口部   
６  ポンプ   
７  制御盤   
８  警告装置 
９  液面     
【図１】
0003214614.tif 000003
【図２】
0003214614.tif 000004
【図３】
0003214614.tif 000005